(57)【要約】【課題】  温度補償のために特別の部品を必要としない、ＤＣ／ＤＣコンバータを提供すること。【解決手段】  ＤＣ／ＤＣコンバータは、一次巻線Ｎp、二次巻線Ｎs、および補助巻線ＮBを持つトランスＴ１と、このトランスの一次巻線に直列に接続されたスイッチングトランジスタＱ１と、このスイッチングトランジスタをオン・オフするための制御トランジスタＱ２と、この制御トランジスタと補助巻線との間に接続され、ツェナーダイオードＤ５を含む帰還制御回路とを有する。本発明に係るＤＣ／ＤＣコンバータによれば、ツェナーダイオードＤ５は実質的に０の温度係数をもつダイオードである。ツェナーダイオードＤ５のツェナー電圧は５Ｖ〜６Ｖの範囲にある。制御トランジスタＱ２の温度特性を相殺するように、ツェナーダイオードＤ５の温度係数が選択される。【選択図】      図１
2005210859.tif 000002
【特許請求の範囲】
【請求項１】
一次巻線、二次巻線、および補助巻線を持つトランスと、該トランスの一次巻線に直列に接続されたスイッチングトランジスタと、該スイッチングトランジスタをオン・オフするための制御トランジスタと、該制御トランジスタと前記トランスの補助巻線との間に接続され、ツェナーダイオードを含む帰還制御回路とを有するＤＣ／ＤＣコンバータにおいて、
前記ツェナーダイオードが実質的に０の温度係数をもつダイオードであることを特徴とするＤＣ／ＤＣコンバータ。
【請求項２】
前記ツェナーダイオードのツェナー電圧が５Ｖ〜６Ｖの範囲にある、請求項１に記載のＤＣ／ＤＣコンバータ。
【請求項３】
前記制御トランジスタの温度特性を相殺するように、前記ツェナーダイオードの温度係数が選択されている、請求項１又は２に記載のＤＣ／ＤＣコンバータ。
【請求項４】
前記スイッチングトランジスタおよび前記制御トランジスタの各々がｎｐｎ形バイポーラトランジスタから成り、前記スイッチングトランジスタのコレクタが前記一次巻線の一端に接続され、前記スイッチングトランジスタのエミッタが接地されており、前記制御トランジスタのコレクタが前記スイッチングトランジスタのベースに接続され、前記制御トランジスタのエミッタが接地されており、前記補助巻線の一端は接地され、前記補助巻線の他端と前記制御トランジスタのベースとの間に、前記帰還制御回路が挿入されている、請求項１乃至３のいずれか１つに記載のＤＣ／ＤＣコンバータ。
【請求項５】
前記帰還制御回路は、アノードが前記制御トランジスタのベースに接続され、カソードが前記補助巻線の他端に接続された前記ツェナーダイオードと、該ツェナーダイオードに並列に接続された抵抗とを有する、請求項４に記載のＤＣ／ＤＣコンバータ。
【請求項６】
前記帰還制御回路は、アノードが前記制御トランジスタのベースに接続された前記ツェナーダイオードと、該ツェナーダイオードのカソードに一端が接続された第１の抵抗と、前記制御トランジスタのベースに一端が接続され、他端が前記第１の抵抗の他端に接続された第２の抵抗と、該第２の抵抗の他端と前記補助巻線の他端との間に接続された第３の抵抗とを有する、請求項４に記載のＤＣ／ＤＣコンバータ。
【請求項７】
一端が接地されたコンデンサと、
該コンデンサの他端にアノードが接続され、カソードが前記スイッチングトランジスタのベースに接続された第２のツェナーダイオードと
を更に含む、請求項６に記載のＤＣ／ＤＣコンバータ。
【発明の詳細な説明】
【技術分野】
【０００１】
本発明は、ＤＣ／ＤＣコンバータに関し、特に、降圧型ＤＣ／ＤＣコンバータに関する。
【背景技術】
【０００２】
この技術分野において周知のように、ＤＣ／ＤＣコンバータとは、ある電圧レベルの直流電圧（直流入力電圧）を他の電圧レベルの直流電圧（直流出力電圧）に変換する電力変換器のことをいう。ＤＣ／ＤＣコンバータはスイッチングレギュレータ、スイッチング電源、或いはリンギングチョークコンバータとも呼ばれる。ここで、直流入力電圧の電圧レベルよりも直流出力電圧の電圧レベルが高いＤＣ／ＤＣコンバータは昇圧型ＤＣ／ＤＣコンバータと呼ばれ、直流入力電圧の電圧レベルよりも直流出力電圧の電圧レベルが低いＤＣ／ＤＣコンバータは降圧型ＤＣ／ＤＣコンバータと呼ばれる。本発明は降圧型ＤＣ／ＤＣコンバータに係る。
【０００３】
降圧型ＤＣ／ＤＣコンバータでは、トランジスタをスイッチとして用い、これをスイッチングさせ、直流入力電圧をいったん交流電圧に変えて、トランスによって電圧を降圧した後、整流して直流出力電圧に変換する。
【０００４】
一般にこの種のＤＣ／ＤＣコンバータでは、一次巻線、二次巻線、および補助巻線を持つトランスを有する。補助巻線は帰還巻線、正帰還巻線、帰還コイル、又はベース巻線とも呼ばれる。このトランスの一次巻線に直列にスイッチングトランジスタが接続されている。スイッチングトランジスタを自励発振させることにより、二次巻線にエネルギーを伝達する。さらに、ＤＣ／ＤＣコンバータは、スイッチングトランジスタをオン・オフするための制御トランジスタを備え、この制御トランジスタと補助巻線との間には、ツェナーダイオード（定電圧ダイオード）を含む帰還制御回路が接続されている。
【０００５】
従来から種々のＤＣ／ＤＣコンバータが提案されている。その１つに、一次側で電流特性を制御するスイッチング電源がある（例えば、特許文献１参照）。この特許文献１に開示されたスイッチング電源では、入力電圧や周囲温度など外的要因に依存しない安定した性能を実現している。この特許文献１では、上記ツェナーダイオードとして正の温度係数をもつダイオード（すなわち、温度が高くなればなる程、そのツェナー電圧が高くなる「正の温度特性」を持つもの）を使用している。また、この特許文献１では、周囲温度の変化による電流特性の変化を補正するために、スイッチング電源は感温抵抗を備えている。
【０００６】
一方、ツェナーダイオードとして負の温度係数をもつダイオード（すなわち、温度が高くなればなる程、そのツェナー電圧が低くなる「負の温度特性」を持つもの）を備えたリンギングチョークコンバータも知られている（例えば、特許文献２参照）。
【０００７】
また、上記制御トランジスタを備えていないが、出力電圧制御用のツェナーダイオードを備えたＤＣ−ＤＣコンバータも知られている（例えば、特許文献３参照）。
【０００８】
【特許文献１】特開平１１−９８８３８号公報
【特許文献２】特開平８−２７５５２３号公報（図５）
【特許文献３】実公昭５６−５５０７号公報
【発明の開示】
【発明が解決しようとする課題】
【０００９】
上述した特許文献１では、ツェナーダイオードして正の温度係数をもつダイオードを使用しているため、感温抵抗を必要としている。
【００１０】
一方、上述した特許文献２でも、ツェナーダイオードして負の温度係数をもつダイオードを使用しているため、何らかの温度補償が必要になる。
【００１１】
また、上述した特許文献３は、出力電圧制御をトランスの一次側で行うＤＣ−ＤＣコンバータを開示しているのみで、出力電流制御をトランスの一次側で行ってはいない。
【００１２】
したがって、本発明の課題は、温度補償のために特別の部品を必要としない、ＤＣ／ＤＣコンバータを提供することにある。
【課題を解決するための手段】
【００１３】
上述したように、従来のＤＣ／ＤＣコンバータでは、ツェナーダイオードとして、正又は負の温度係数をもつダイオードを使用している。その為に、従来のＤＣ／ＤＣコンバータでは、種々の温度補償対策が必要になっていたと思われる。
【００１４】
そこで、本発明者らは、ツェナーダイオードとして実質的に０の温度係数を持つダイオードを使用することに想到した。
【００１５】
次に、ツェナーダイオードについて説明する。ツェナーダイオードに逆方向に電圧をかけていくと、急激に電流が流れる原因は二つある。ひとつはトンネル効果によるツェナー・ブレークダウンで、もうひとつはアバランシェ・ブレークダウンである。ツェナーダイオードはこの両方の効果が少しづつ混ざりあっている。比較的低い電圧のツェナーダイオードではツェナー・ブレークダウンの方が支配的になっていて、逆に比較的高い電圧のツェナーダイオードではアバランシェ・ブレークダウンが支配的になってくる。ツェナー電圧が５Ｖ近辺のツェナーダイオードではそれぞれが程よい割合で混ざり合っている。
【００１６】
以下、ツェナーダイオードの温度特性について詳述する。トンネル効果は負の温度係数を持っている。アバランシェ効果は正の温度係数を持っている。そのためツェナーダイオードの温度特性はツェナー電圧によって大きく変わってくる。ツェナー電圧が５Ｖ近辺ではトンネル効果とアバランシェ効果が同じような割合で効いてくるので、温度係数が互いに打ち消し合い、温度が変化してもツェナー電圧が変化しにくなっている。
【００１７】
一方、上記制御トランジスタも温度特性を持っている。一般に、トランジスタは負の温度特性を持っており、代表的には、−２ｍＶ／℃が用いられる。そこで、この制御トランジスタの温度特性をも考慮に入れる必要がある。
【００１８】
すなわち、本発明が適用されるＤＣ／ＤＣコンバータは、一次巻線（Ｎp）、二次巻線（Ｎs）、および補助巻線（ＮB）を持つトランス（Ｔ１）と、該トランスの一次巻線に直列に接続されたスイッチングトランジスタ（Ｑ１）と、該スイッチングトランジスタをオン・オフするための制御トランジスタ（Ｑ２）と、該制御トランジスタと前記トランスの補助巻線との間に接続され、ツェナーダイオード（Ｄ５）を含む帰還制御回路とを有する。
【００１９】
本発明に係るＤＣ／ＤＣコンバータによれば、上記ツェナーダイオード（Ｄ５）が実質的に０の温度係数をもつダイオードであることを特徴とする。また、上記ツェナーダイオード（Ｄ５）のツェナー電圧が５Ｖ〜６Ｖの範囲にあることが好ましい。更に、制御トランジスタ（Ｑ２）の温度特性を相殺するように、ツェナーダイオード（Ｄ５）の温度係数が選択されていることが望ましい。
【００２０】
また、スイッチングトランジスタ（Ｑ１）および制御トランジスタ（Ｑ２）の各々は、例えば、ｎｐｎ形バイポーラトランジスタから構成される。この場合、スイッチングトランジスタ（Ｑ１）のコレクタが一次巻線（Ｎp）の一端に接続され、スイッチングトランジスタ（Ｑ１）のエミッタが接地される。制御トランジスタ（Ｑ２）のコレクタがスイッチングトランジスタのベースに接続され、制御トランジスタ（Ｑ２）のエミッタが接地される。そして、補助巻線（ＮB）の一端は接地され、補助巻線（ＮB）の他端と制御トランジスタ（Ｑ２）のベースとの間に、帰還制御回路が挿入される。この帰還制御回路は、例えば、アノードが制御トランジスタ（Ｑ２）のベースに接続され、カソードが補助巻線（ＮB）の他端に接続されたツェナーダイオード（Ｄ５）と、このツェナーダイオードに並列に接続された抵抗（Ｒ５）とから構成される。
【００２１】
その代わりに、帰還制御回路は、アノードが制御トランジスタ（Ｑ２）のベースに接続されたツェナーダイオード（Ｄ５）と、このツェナーダイオードのカソードに一端が接続された第１の抵抗（Ｒ７）と、制御トランジスタ（Ｑ２）のベースに一端が接続され、他端が第１の抵抗の他端に接続された第２の抵抗（Ｒ５）と、この第２の抵抗の他端と補助巻線（ＮB）の他端との間に接続された第３の抵抗（Ｒ６）とから構成されても良い。また、上記ＤＣ／ＤＣコンバータは、一端が接地されたコンデンサ（Ｃ３）と、このコンデンサの他端にアノードが接続され、カソードがスイッチングトランジスタ（Ｑ１）のベースに接続された第２のツェナーダイオード（Ｄ２）とを更に含んでも良い。
【発明の効果】
【００２２】
本発明では、帰還制御回路を構成するツェナーダイオードとして実質的に０の温度係数を持つダイオードを使用しているので、温度補償のために特別の部品が不要になるという効果を奏する。
【発明を実施するための最良の形態】
【００２３】
以下、図面を参照して、本発明の実施の形態について詳細に説明する。
【００２４】
図１を参照して、本発明の第１の実施の形態に係るＤＣ／ＤＣコンバータについて説明する。図示のＤＣ／ＤＣコンバータは、一次巻線Ｎp、二次巻線Ｎs、および補助巻線ＮBを持つトランスＴ１を有する。
【００２５】
ＤＣ／ＤＣコンバータは、トランスＴ１の一次側に、整流回路Ｄ１、第１の入力コンデンサＣ１、入力インダクタＬ１、第２の入力コンデンサＣ２、スイッチングトランジスタＱ１、制御トランジスタＱ２、および後述する制御帰還回路等を含む。第１の入力コンデンサＣ１、入力インダクタＬ１、および第２の入力コンデンサＣ２によって平滑回路が構成される。
【００２６】
整流回路Ｄ１にはＡＣ電源が抵抗Ｒ１を介して接続されている。図示のＡＣ電源は、入力ＡＣ電圧として１００Ｖ〜２４０Ｖの電圧を発生する。この入力ＡＣ電圧は整流回路Ｄ１で整流された後、上記平滑回路で平滑され、第２の入力コンデンサＣ２に入力直流電圧として蓄積される。
【００２７】
トランスＴ１の一次巻線ＮpにはスイッチングトランジスタＱ１が直列に接続されている。詳述すると、第２の入力コンデンサＣ２の一端は、トランスＴ１の一次巻線Ｎpの一端に接続されている。図示のスイッチングトランジスタＱ１は、ｎｐｎ形バイポーラトランジスタから成る。トランスＴ１の一次巻線Ｎpの他端には、スイッチングトランジスタＱ１のコレクタが接続されている。スイッチングトランジスタＱ１のエミッタは接地されている。スイッチングトランジスタＱ１のベースと第２の入力コンデンサＣ２の一端との間には、抵抗Ｒ２、Ｒ３が直列に接続されている。
【００２８】
上記入力直流電圧はトランスＴ１の一次巻線Ｎpに印加され、スイッチングトランジスタＱ１によってオンオフされる。制御トランジスタＱ２は、スイッチングトランジスタＱ１をオン・オフするためものものである。この制御トランジスタＱ２とトランスＴ１の補助巻線ＮBとの間には、次に述べる帰還制御回路が接続されている。
【００２９】
制御トランジスタＱ２はｎｐｎ形バイポーラトランジスタから成る。帰還制御回路は、抵抗Ｒ５，Ｒ６，Ｒ７と、ツェナーダイオードＤ５とを有する。抵抗Ｒ５，Ｒ６は、制御トランジスタＱ２のベースとトランスＴ１の補助巻線ＮBの一端に、直接に接続されている。抵抗Ｒ７とツェナーダイオードＤ５は、抵抗Ｒ５の両端に直列に接続されている。
【００３０】
制御トランジスタＱ２のエミッタは接地されている。制御トランジスタＱ２のベース−エミッタ間にはコンデンサＣ５が接続されている。トランスＴ１の補助巻線ＮBの一端と制御トランジスタＱ２のコレクタとの間には、抵抗Ｒ８とコンデンサＣ６が直列に接続されている。制御トランジスタＱ２のコレクタはスイッチングトランジスタＱ１のベースに接続されている。
【００３１】
コンデンサＣ３の一端は接地されている。コンデンサＣ３の他端は、ツェナーダイオードＤ２を介してスイッチングトランジスタＱ１のベースに接続されると共に、ダイオードＤ３を介してトランスＴ１の補助巻線ＮBの一端と接続されている。換言すれば、ダイオードＤ３の両端には、ツェナーダイオードＤ２、コンデンサＣ６、および抵抗Ｒ８が直列に接続されている。
【００３２】
帰還制御回路を構成するツェナーダイオードＤ５は、実質的に０の温度係数をもつダイオードである。具体的には、このツェナーダイオードＤ５のツェナー電圧は、５Ｖ〜６Ｖの範囲にある。この結果、温度補償のために特別の部品を必要としない。
【００３３】
尚、帰還制御回路は出力電流制御回路として動作し、ツェナーダイオードＤ２は出力電圧制御回路として動作する。
【００３４】
ＤＣ／ＤＣコンバータは、トランスＴ１の二次側に、ダイオードＤ６、抵抗Ｒ１０、出力コンデンサＣ７、およびツェナーダイオードＤ７を有する。トランスＴ１の二次巻線Ｎsは、その一端がＤＣ／ＤＣコンバータの接地端子ＧＮＤに接続され、他端がダイオードＤ６を介してＤＣ／ＤＣコンバータの電源端子＋Ｂに接続されている。抵抗Ｒ１０と、コンデンサＣ７と、ツェナーダイオードＤ７は、電源端子＋Ｂと接地端子ＧＮＤとの間に、並列に接続されている。
【００３５】
トランスＴ１の二次巻線Ｎsに誘起されたＡＣ電圧は、ダイオードＤ６で整流された後、出力コンデンサＣ７で平滑化され、電源端子＋Ｂと接地端子ＧＮＤとから二次側出力電圧を出力する。
【００３６】
本例では、二次側出力電圧は６Ｖで、電源端子＋Ｂから６５０ｍＡの出力電流を流すことが可能である。
【００３７】
このような構成のＤＣ／ＤＣコンバータによれば、トランスＴ１の一次側にて、以下に述べるように、出力定電圧と定電流を制御することができ、ＡＣ入力電圧（１００Ｖ〜２４０Ｖ）の入力変動に対しても、出力を安定化することができる。
【００３８】
最初に、定電圧制御について説明する。トランスＴ１の補助巻線ＮBのマイナス電圧をツェナーダイオードＤ２にて制御し、二次側出力電圧を一定に制御する。ここで、トランスＴ１の二次巻線Ｎsと補助巻線ＮBの結合を良くし、ＡＣ入力電圧の入力変動を改善する。
【００３９】
次に、定電流制御について説明する。制御トランジスタＱ２のベース電流を帰還制御回路（出力電流制御回路）にて調整し、制御トランジスタＱ２のコレクタ電流Ｉcを制御し、出力電流を制御する。ここで、実質的に０の温度係数をもつツェナーダイオードＤ５を追加することで、ＡＣ入力電圧の入力変動を改善している。
【００４０】
なお、前述したように、制御トランジスタＱ２は温度特性をもっている。したがって、この制御トランジスタＱ２の温度特性を相殺するように、ツェナーダイオードＤ５の温度係数を選択する。これにより、ＤＣ／ＤＣコンバータ全体として、安定な電流特性を実現している。
【００４１】
図２に図１に示したＤＣ／ＤＣコンバータの出力電圧の温度特性を示す。温度としては、−２０℃、２５℃、および６０℃の３点の温度で測定した結果を示している。その中間の温度は、リニアに変化していると考えられる。
【００４２】
図２に示す温度特性は、次のようにして取得された。測定に使用したＤＣ／ＤＣコンバータ（製品）の定格出力電圧／出力電流は５．３Ｖ／６００ｍＡである。出力電流が６００ｍＡ以上流れると、徐々に出力電圧が低下する。そして、その出力電圧が３．６Ｖとなった時の電流値を測定したのが、図２に示すデータである。すなわち、製品の周囲温度を変化させて、出力電圧３．６Ｖとなるときの電流値を測定して、図２に示す温度特性を取得した。
【００４３】
この図２から明らかなように、−２０℃〜６０℃の温度範囲において、１０％程度以内のバラツキ範囲に収まっている。この事から、実際の製品として十分に使用できる範囲に温度特性が調整されていることが分かる。
【００４４】
図１に示した本発明の第１の実施の形態に係るＤＣ／ＤＣコンバータでは、トランスの一次側において、出力電流制御と出力電圧制御の両方の制御を行っているが、以下に説明する第２の実施の形態に係るＤＣ／ＤＣコンバータのように、出力電流制御のみをトランスの一次側で行っても良い。
【００４５】
図３を参照して、本発明の第２の実施の形態に係るＤＣ／ＤＣコンバータについて説明する。図１に示すものと同様の機能を有するものには同一の参照符号を付してある。
【００４６】
ＡＣ電源はフューズＦ２を介して整流回路Ｄ１に接続されている。図示のＡＣ電源はＡＣ１００Ｖの入力ＡＣ電圧を発生する。整流回路Ｄ１の出力端子側には、第１の入力コンデンサＣ１、第１のインダクタＬ１、第２の入力コンデンサＣ２、および第２のインダクタＬ３から成る平滑回路が接続されている。
【００４７】
平滑回路の一端は、トランスＴ１の一次巻線Ｎpの一端に接続されている。トランスＴ１の一次巻線Ｎpの他端は、スイッチングトランジスタＱ１のコレクタに接続されている。スイッチングトランジスタＱ１のベースは、直列に接続された抵抗Ｒ３、Ｒ２を介してトランスＴ１の一次巻線Ｎpの一端に接続されている。スイッチングトランジスタＱ１のベース−エミッタ間にはダイオードＤ１０が接続されている。スイッチングトランジスタＱ１のエミッタはフューズＦ１を介して接地されている。
【００４８】
スイッチングトランジスタＱ１のエミッタはトランスＴ１の補助巻線ＮBの一端に接続されている。補助巻線ＮBの他端は、抵抗Ｒ５と、ツェナーダイオードＤ５と抵抗Ｒ７とから成る直列回路との並列回路との直列回路からなる帰還制御回路（出力電流制御回路）を介して、制御トランジスタＱ２のベースに接続されている。補助巻線ＮBの両端には、コンデンサＣ９とダイオードＤ１１が直列に接続されている。このコンデンサＣ９とダイオードＤ１１との接続点と、制御トランジスタＱ２のベースとの間には、ツェナーダイオードＤ９と抵抗Ｒ１５が直列に接続されている。補助巻線ＮBの他端と制御トランジスタＱ２のコレクタとの間には、抵抗Ｒ８とコンデンサＣ６とが直列に接続されている。制御トランジスタＱ２のコレクタはスイッチングトランジスタＱ１のベースに接続されている。制御トランジスタＱ２のエミッタはダイオードＤ１０を介してスイッチングトランジスタＱ１のベースに接続されている。
【００４９】
一方、トランスＴ１の二次巻線Ｎsの一端は、ダイオードＤ６とコンデンサＣ９から成る並列回路、およびインダクタＬ２を介して電源端子＋Ｂに接続されている。トランスＴ１の二次巻線Ｎsの他端は、接地端子ＧＮＤに接続されている。電源端子＋Ｂと接地端子ＧＮＤとの間には、コンデンサＣ７とツェナーダイオードＤ７とが並列に接続されている。また、電源端子＋Ｂと接地端子ＧＮＤとの間には、コンデンサＣ１８が接続されている。
【００５０】
電源端子＋Ｂと接地端子ＧＮＤとから二次側出力電圧を出力する。本例では、二次側出力電圧は５．６Ｖで、電源端子＋Ｂから７００ｍＡの出力電流を流すことが可能である。
【００５１】
本第２の実施の形態では、二次側での出力電圧を一次側に帰還するために、フォトカプラＩＣ１を備えている。以下、この出力電圧を帰還する回路について説明する。
【００５２】
電源端子＋Ｂと接地端子ＧＮＤとの間には、抵抗Ｒ１７とツェナーダイオードＤ８が直列に接続されている。抵抗Ｒ１７とツェナーダイオードＤ８の接続点は、フォトカプラＩＣ１のフォトダイオードのカソードに接続されている。フォトカプラＩＣ１のフォトダイオードのアノードは、コンデンサＣ８を介して接地端子ＧＮＤに接続される共に、抵抗Ｒ１２およびインダクタＬ２を介して電源端子＋Ｂに接続されている。
【００５３】
一方、フォトカプラＩＣ１のフォトトランジスタのコレクタは、ダイオードＤ１１を介してトランスＴ１の補助巻線ＮBの他端に接続されると共に、ダイオードＤ９と抵抗Ｒ１５との直列回路を介して制御トランジスタＱ２のベースに接続されている。フォトカプラＩＣ１のフォトトランジスタのエミッタは、抵抗Ｒ１２を介して制御トランジスタＱ２のベースに接続されている。
【００５４】
とにかく、本第２の実施の形態では、トランスＴ１の二次側の出力電圧を、フォトカプラＩＣ１を使用して、トランスＴ１の一次側に帰還することによって、出力電圧制御を行っている。
【００５５】
本第２の実施の形態においても、帰還制御回路を構成するツェナーダイオードＤ５は、実質的に０の温度係数をもつダイオードである。具体的には、このツェナーダイオードＤ５のツェナー電圧は、５Ｖ〜６Ｖの範囲にある。この結果、温度補償のために特別の部品を必要としない。
【００５６】
また、前述したように、制御トランジスタＱ２は温度特性をもっている。したがって、この制御トランジスタＱ２の温度特性を相殺するように、ツェナーダイオードＤ５の温度係数を選択する。これにより、ＤＣ／ＤＣコンバータ全体として、安定な電流特性を実現している。
【００５７】
このような構成のＤＣ／ＤＣコンバータにおける出力電流制御について説明する。ＤＣ／ＤＣコンバータの出力電流が増加したとする。この出力電流に比例して、トランスＴ１の補助巻線ＮBにも電圧が誘起される。この誘起された電圧によって、帰還制御回路を構成する抵抗Ｒ５を通して流れる電流が、制御トランジスタＱ２をオン／オフする。この制御トランジスタＱ２のオン／オフによってスイッチングトランジスタＱ１を制御することによって、出力電流制御を行う。
【００５８】
以上、本発明について好ましい実施の形態によって説明してきたが、本発明は上述した実施の形態に限定しないのは勿論である。例えば、帰還制御回路は、上述した実施の形態のものに限定されない。
【図面の簡単な説明】
【００５９】
【図１】本発明の第１の実施の形態に係るＤＣ／ＤＣコンバータの回路図である。
【図２】図１に図示したＤＣ／ＤＣコンバータの温度特性を示す図である。
【図３】本発明の第２の実施の形態に係るＤＣ／ＤＣコンバータの回路図である。
【符号の説明】
【００６０】
Ｑ１    スイッチングトランジスタ
Ｑ２    制御トランジスタ
Ｔ１    トランス
Ｎp    一次巻線
Ｎs    二次巻線
ＮB    補助巻線
Ｄ５    ツェナーダイオード
【図１】
2005210859.tif 000003
【図２】
2005210859.tif 000004
【図３】
2005210859.tif 000005